(57)【要約】【課題】爽快でダイナミックな乗馬感覚が得られるとともに、全身の筋肉の鍛錬、及び平衡感覚、敏捷性のトレーニングを行なうことができる運動健康器具を提供する。【解決手段】床面に載置される台座にフレームを設けた基枠と、この基枠に取付けられ、座部が固定されるとともに、前記座部に揺動馬のり運動を生じさせる揺動手段とを具えるとともに、揺動手段は、前記フレームに上下の向きで枢支される駆動軸と、該駆動軸の上端で固定されるクランクアームとからなるクランク部材、前記クランクアームの先端部で枢着されかつこの枢着点廻りでクランクアームと衝合することなく相対回転しうる連結軸体、前記駆動軸の後方で前記基枠に横首振り運動可能に枢支され、かつ前記連結軸体をその軸方向に移動可能に案内しうるすべり子体、及び前記駆動軸を回転駆動する駆動部からなり、前記座部は、前記連結軸体に取付け具を用いて取付けられることを特徴とする。【選択図】  図２
0003119176.tif 000002
【実用新案登録請求の範囲】
【請求項１】
床面に載置される台座に該台座から立ち上がるフレームを設けた基枠と、この基枠に取付けられ、使用者が着座する座部が固定されるとともに、前記座部に揺動馬のり運動を生じさせる揺動手段とを具えるとともに、
揺動手段は、前記座部に着座する使用者が前を向く側で前記フレームに上下の向きで枢支される駆動軸と、該駆動軸の上端で固定されるクランクアームとからなるクランク部材、前記クランクアームの先端部で枢着されかつこの枢着点廻りでクランクアームと衝合することなく相対回転しうる連結軸体、前記駆動軸の後方で前記基枠に横首振り運動可能に枢支され、かつ前記連結軸体をその軸方向に移動可能に案内しうるすべり子体、及び前記駆動軸を回転駆動する駆動部からなり、
前記座部は、前記連結軸体に取付け具を用いて取付けられることを特徴とする運動健康器具。
【請求項２】
前記駆動軸は、上端を後方に向けて、垂直線に対して５〜２５゜の角度αで傾斜させたことを特徴とする請求項１記載の運動健康器具。
【請求項３】
前記連結軸体は、前記駆動軸とクランクアームとが枢着される枢着点が通り駆動軸の回転芯とは直角なる回転平面とは離れた位置にて前記すべり子体ですべり支持されることにより、連結軸体は、クランクアームの回転に伴い、水平面に対する傾斜角度βが変化するとともに、前記クランクアームは、前記連結軸体を、この連結軸体が前記傾斜角度βを上下に変動可能に支持することを特徴とする請求項２記載の運動健康器具。
【請求項４】
前記すべり子体は、前記連結軸体の傾斜角度βを上下に変動可能に支持することを特徴とする請求項１〜３のいずれかに記載の運動健康器具。
【請求項５】
前記揺動手段は、基枠に固着される軸支持用の縦のスリーブと、この縦のスリーブに回動可能に内挿する支持縦軸と、この支持縦軸の上端部に設けられるとともに上を向く横コ字状をなし、かつすべり子体を軸支する受体とからなるすべり子体支持部を含むことを特徴とする請求項１〜４のいずれかに記載の運動健康器具。
【請求項６】
前記駆動部は、駆動器と、この駆動器の駆動力を制御する減速器と、駆動伝達部とを含み、
前記駆動伝達部は、前記減速器の出力軸に取り付けた駆動プーリーと、前記駆動軸に取り付けた従動プーリーと、この駆動プーリー及び従動プーリーの間に架け渡したタイミングベルトとからなることを特徴とする請求項１〜５のいずれかに記載の運動健康器具。
【請求項７】
前記取付け具は、ボルト固定手段、又は座部に緩衝機能を付与する弾性手段を有する緩衝具であることを特徴とする請求項１〜６のいずれかに記載の運動健康器具。
【請求項８】
前記基枠は、台座から立ち上がる把手を有することを特徴とする請求項１〜７のいずれかに記載の運動健康器具。
【考案の詳細な説明】
【技術分野】
【０００１】
本考案は、乗馬感覚を楽しみながら、腹筋、背筋などの筋力の鍛錬および平衡感覚をトレーニングできる運動健康器具に関する。
【背景技術】
【０００２】
健康志向の風潮が強まる中、運動不足解消のため、手軽に屋内トレーニングできる運動健康器具が多く提案されている。その中に、使用者が着座する座部を駆動手段によって揺動させ、使用者がその上でバランスを保つことによってトレーニングする運動健康器具が含まれる（例えば、特許文献１参照）。
【０００３】
【特許文献１】特開２００５−２４５６３８
【０００４】
また本出願人は、特願２００４−３１１３６７において、下バネに支持された縦揺動板にこれを上下動させる第１の揺動モータを設けるとともに、この縦揺動板上に揺動バネを介して取り付けた横揺動板を横揺れさせる第２のモータを設けることによって、横揺動板に取付けた座部に座る使用者に対して縦、横両方向の揺れを与えてトレーニングする乗馬運動タイプの運動健康器具を提案している。
【考案の開示】
【考案が解決しようとする課題】
【０００５】
前記運動健康器具では、使用者に縦、横両方の揺動が加えられることから、座部上で着座状態を維持するためには、体をバランスさせて姿勢を保つ必要があり、従って各部の筋力が鍛錬されるとともに、バランス感覚を高める効果が得られる。
【０００６】
しかしながら座部の動きは、第１、第２のモータにより個別に発生する縦揺れ及び横揺れの単なる組み合わせであることから変化に乏しく、一定時間使用すると、単調な揺動に対して体が慣れを生じ、また単純な動きによって刺激を与えることのできる体の部位は限定的されるため運動効果に限界があるという問題がある。しかも効果を得るためには一定期間継続して運動することが必要であるが、単純な動きに対しては、使用者に飽きが生まれるため、この運動を続けるには相当の忍耐が求められ、従って途中で中断するケースが多くなりがちであった。
【０００７】
本考案は、フレームに上下の向きで枢支される駆動軸と、この駆動軸の上端で固定されるクランクアームとからなるクランク部材、前記クランクアームの先端部で枢着されてクランクアームと相対回転しうる連結軸体、この連結軸体をその軸方向に移動可能に案内しうるすべり子体、及び駆動部からなる揺動手段を具えることを基本とし、爽快でダイナミックな乗馬感覚が得られるとともに、全身の筋肉の鍛錬、及び平衡感覚、敏捷性のトレーニングを行なうことができる運動健康器具の提供を課題としている。
【課題を解決するための手段】
【０００８】
前記目的を達成するために、請求項１に係る考案では、床面に載置される台座に該台座から立ち上がるフレームを設けた基枠と、この基枠に取付けられ、使用者が着座する座部が固定されるとともに、前記座部に揺動馬のり運動を生じさせる揺動手段とを具えるとともに、揺動手段は、前記座部に着座する使用者が前を向く側で前記フレームに上下の向きで枢支される駆動軸と、該駆動軸の上端で固定されるクランクアームとからなるクランク部材、前記クランクアームの先端部で枢着されかつこの枢着点廻りでクランクアームと衝合することなく相対回転しうる連結軸体、前記駆動軸の後方で前記基枠に横首振り運動可能に枢支され、かつ前記連結軸体をその軸方向に移動可能に案内しうるすべり子体、及び前記駆動軸を回転駆動する駆動部からなり、前記座部は、前記連結軸体に取付け具を用いて取付けられることを特徴とする。
【０００９】
請求項２に係る考案では、前記駆動軸は、上端を後方に向けて、垂直線に対して５〜２５゜の角度αで傾斜させ、請求項３に係る考案においては、前記連結軸体は、前記駆動軸とクランクアームとが枢着される枢着点が通り駆動軸の回転芯とは直角なる回転平面とは離れた位置にて前記すべり子体ですべり支持されることにより、連結軸体は、クランクアームの回転に伴い、水平面に対する傾斜角度βが変化するとともに、前記クランクアームは、前記連結軸体を、この連結軸体が前記傾斜角度βを上下に変動可能に支持することを特徴とする。
【００１０】
請求項４に係る考案では、前記すべり子体は、前記連結軸体の傾斜角度βを上下に変動可能に支持し、請求項５に係る考案においては、前記揺動手段は、基枠に固着される軸支持用の縦のスリーブと、この縦のスリーブに回動可能に内挿する支持縦軸と、この支持縦軸の上端部に設けられるとともに上を向く横コ字状をなし、かつすべり子体を軸支する受体とからなるすべり子体支持部を含むことを特徴とする。
【００１１】
請求項６に係る考案では、前記駆動部は、駆動器と、この駆動器の駆動力を制御する減速器と、駆動伝達部とを含み、前記駆動伝達部は、前記減速器の出力軸に取り付けた駆動プーリーと、前記駆動軸に取り付けた従動プーリーと、この駆動プーリー及び従動プーリーの間に架け渡したタイミングベルトとからなり、請求項７に係る考案においては、前記取付け具は、ボルト固定手段、又は座部に緩衝機能を付与する弾性手段を有する緩衝具であり、更に請求項８に係る考案では、前記基枠は、台座から立ち上がる把手を有することを特徴とする。
【考案の効果】
【００１２】
請求項１に係る考案においては、横方向の首振り運動が可能なすべり子体によって、その軸方向に移動可能に案内される連結軸体は、その前端部が、駆動部に駆動されて回転する駆動軸の上端に固定されて駆動軸廻りに回動するクランクアームの先端部に枢着されることから、クランクアームと連結軸体とで揺動スライダ−クランク機構を構成する。その結果連結軸体は、クランクアームの回動に誘導されて、左右に激しく揺動しながら前後方向への移動を繰り返す。そのため連結軸体に取り付けられた座部は、その前側が大きく左右に振れる揺動を伴って前後に移動を繰り返すことから、座部に着座する使用者は、騎乗において激しく動く鞍上で自分の姿勢をバランスさせる乗馬感覚と同様のフィーリングを楽しみながら、腹筋、背筋などの全身の筋肉を使って、体重を適宜移動させてバランスをとることにより着座姿勢を維持させる運動を行なう。その結果心地良い乗馬の気分を楽しみながら、腹筋、背筋その他全身の筋肉の鍛錬と、平衡感覚、敏捷性のトレーニングを行なうことができる。
【００１３】
請求項２に係る考案のように、駆動軸を、上端を後方に向けて、垂直線に対して５〜２５゜の角度αで傾斜させると、この駆動軸を芯とするクランクアームの回動により、前後にスライドする連結軸体の前側が左右に揺動しながら、更に上下方向へも揺動する。そのため、前後、左右、及び上下の三方向に激しく揺れる使用者は、巧妙でダイナミックなバランス操作が要求され、トレーニング効果が一段と高まる上、前記三方向への揺動が交錯した激しい動きによって乗馬感覚に一層近くなり、臨場感が増す。
【００１４】
請求項３に係る考案のように、前記すべり子体により、駆動軸にクランクアームが枢着される枢着点を通り駆動軸の回転芯と直角な回転平面から離れた位置において、連結軸体を支持すると、クランクアームの回動に伴って、連結軸体の水平面に対する傾斜角度βが周期的に確実に変化する。即ち座部が前方へ移動する際には前側を上にして傾き、反対に後方への移動時には前側を下に傾く傾斜の変化が繰り返され、その結果乗馬感覚に良く似た座部の動きが使用者に伝わり、臨場感溢れるトレーニングを楽しむことができる。
【００１５】
請求項４に係る考案のように、前記傾斜角度βが上下変動可能となるように、すべり子が連結軸体を支持すると、クランクアームの回動に伴う連結軸体の前後方向へ移動を伴った上下傾動の繰り返しを滑らか支持することができ、座部が振動、軋みを生じることなくスムースに動作しうる。
【００１６】
請求項５に係る考案のように、縦のスリーブと、この縦のスリーブに回動可能に内挿する支持縦軸と、この支持縦軸の上端部に設けられるとともにすべり子体を軸支する受体とからなるすべり子体支持部を設けると、すべり子体は、支持縦軸を芯とした回動、および受体に軸支された上下の首振り運動が自在に支持される。そのため、このすべり子体に支持される連結軸体の横首振り運動、および水平面に対する傾動運動が滑らかに動作し、その結果この連結軸体に支持される座部は軋み、振動などを生じることなくスムースに揺動しうる。
【００１７】
請求項６に係る考案のように、駆動部が、駆動器、この駆動器の駆動力を制御する減速器、及び駆動伝達部を含み構成されると、減速器によってトルクを制御した駆動力が駆動伝達部を介して駆動軸を回動させるため、駆動器から伝わる駆動力は、ロスが抑制され、しかも適度な速度で座部を揺動できる。
【００１８】
請求項７に係る考案のように、緩衝具を有する取付け具により座部を取り付けると、駆動器、クランク部材、連結軸体などの可動部が生じる振動が吸収緩和されて、座部に伝わらないことから使用感を高め、同時に機械音が減じるため快適に運動でき、また請求項８に係る考案のように、基枠に台座から立ち上がる把手を設けると、安全に運動することができるとともに、使用者が前後方向逆を向いて使用する時には、この把手を背もたれとして使用することもできる。
【考案を実施するための最良の形態】
【００１９】
以下、本考案の実施の一形態を、図示例とともに説明する。図１に示すように、運動健康器具１は、矩体を構成する基枠４と、この基枠４に取り付けられる揺動手段６と、この揺動手段６の上部に固定されて使用者が着座する座部５とを具える。
【００２０】
前記基枠４は、台座２と、この台座２から立ち上がるフレーム３とからなる。本形態の台座２は、図２に示すように、平面視略Ｕ字状の外座枠３１と、この外座枠３１の内側に架け渡される中枠３２とからなる。そしてこの中枠３２は、左右にのびる平長板状をなし、前側から後側に向かい平行に並ぶ前中枠３２Ｆ、中中枠３２Ｍ、後中枠３２Ｂの３本のものが平行に隔設される。なお本明細書において前側とは、通常の使用状態において、使用者が前を向く側をいう。但しこの前後の方向は、使用者の使用方向を限定するものではなく、前後反対に向いて使用することもできる。なお前記台座２とフレーム３とは、連続した一体の構造体として構成することもできる。
【００２１】
更に本形態では、略Ｔ字状の把手３３が前記前中枠３２Ｆから立ち上がって形成される。この把手３３の上部で左右にのびる把持部３４を持って、安全に運動することができる。なおこの把手３３は、使用者が前後方向逆を向いて使用する時には、背もたれとして使用することもできる。
【００２２】
前記フレーム３は基枠４の骨格をなすもので、本形態では前記中中枠３２Ｍ、後中枠３２Ｂから各々平行に立ち上がる逆Ｕ字状の中門型枠３５Ｍ、後門型枠３５Ｂと、この中門型枠３５Ｍの中位に架け渡された横桟３６と、この横桟３６中央から後方へ少し下に傾斜してのびるとともに後中枠３２Ｂで終端する左右一対の傾斜受部３７と、前記中門型枠３５Ｍ、後門型枠３５Ｂの上部間に架け渡された縦つなぎ桟３８とを含み構成されたものを例示している。なお前記縦つなぎ桟３８は、中門型枠３５Ｍ近傍部分が前記傾斜受部３７と同じ傾きで傾斜した傾斜桟部３８Ａを有する。
【００２３】
前記揺動手段６は、図２に示すように、基枠の前側でフレーム３に枢支されるＬ字状のクランク部材９と、後側でフレーム３に支持されるすべり子体１１と、このクランク部材９及びすべり子体１１の間に設けられて前後にのびる連結軸体１０と、駆動部１２とからなる。
【００２４】
前記クランク部材９は、図４に示すように、上下にのびる駆動軸７と、この駆動軸７の上端に固定されて直角に曲がってのびるクランクアーム８とからなる。本形態の駆動軸７は、前記傾斜桟部３８Ａに設けられた第１のスリーブ３９に、ブッシュ４０を介して回動自在に内挿している。このブッシュ４０は、空孔に高粘度油を含有させた焼結合金、黒鉛を主体とした固体潤滑剤を分散させて焼結した固体潤滑剤含有特殊銅合金、特殊処理により潤滑油および特殊充填剤を樹脂内に均一に分散含有させたポリアセタール樹脂などが用いられ、回転摩擦を低減しつつ高速回転する軸を安定して支持できる。な駆動軸７の下端部には、従動プーリー２２が一体に取り付けられる。
【００２５】
なお本形態の駆動軸７は、これを軸支する第１のスリーブ３９を取り付けた傾斜桟部３８Ａが後方を下に傾斜していることから、上端を後方に向け垂直線に対して角度αで後傾して支持される。
【００２６】
前記クランクアーム８は、基端部が前記駆動軸７の上端部に外嵌するとともにキー４１で廻り止めされ、駆動軸７と一体に回動する。またこのクランクアーム８の先端ぶには、このクランクアーム８に対して直角にのびる第２のスリーブ４２が固着されている。
【００２７】
前記駆動部１２は、前記クランク部材９を回動させるものであり、本形態では図２、６に示すように、駆動器１８と、この駆動器１８の駆動力を制御する減速器１９と、駆動伝達部２０とを含み構成されたものを例示している。
【００２８】
本形態の駆動器１８はモータ４３が用いられ、前記傾斜受部３７、３７間に取り付けられる。このモータ４３は、交流モータのほか、インダクションモータ、直流モータ、ブラシレスモータ、ステッピングモータなどを用いることができる。本形態では、家庭用の１００ボルト電源で動作する交流モータを使用し、制御回路により回転をコントロールしている。前記制御回路は、モータのオン・オフ、回転数、正転・逆転などをコントロールする。又マイコンを用いることによって、プログラムされた波形に従って回転数を漸増・漸減させ、或いは負荷などの変化を検知するセンサからの信号を受けて回転数をコントロールすることもできる。
【００２９】
前記減速器１９は、モータ４３と一体にユニット化されたものが使用され、平歯車、ウォーム・ ギヤ、スグバカサ歯車、遊星歯車などが内装されてモータ４３の回転速度を適度に減速するとともに、必要なトルクを出力している。
【００３０】
この減速器１９の出力軸には、前記従動プーリー２２と向き合い対をなす駆動プーリー２１が一体に取り付けられる。そして従動プーリー２２、駆動プーリー２１の間に歯付きのタイミングベルト２３が架け渡され、これによって駆動器１８の駆動力を駆動軸７に伝えている。なおこのタイミングベルト２３、従動プーリー２２、及び駆動プーリー２１によって駆動伝達部２０が構成される。このような駆動器１８、減速器１９、及び駆動伝達部２０によって駆動部１２を構成すると、駆動力の速度、トルクを好適なレベルにコントロールでき、従って駆動軸７を適度な回転数で回動させることができる点で好ましい。
【００３１】
前記すべり子体１１は図３、４に示すように、前後方向に貫通したスライド支持孔５６を有する短丸棒片状をなし、駆動軸７の後側において前記縦つなぎ桟３８に取り付けられる。本形態では、縦つなぎ桟３８に固着された軸支持用の縦のスリーブ１４と、この縦のスリーブ１４に回動可能に内挿した支持縦軸１５と、この支持縦軸１５の上端部に設けられるとともに上を向く横コ字状をなすとともにすべり子体１１を軸支する受体１６とからなるすべり子体支持部１７によってすべり子体１１を支持している。しかして本形態のすべり子体１１は、支持縦軸１５が縦のスリーブ１４内を回動することにより横に首振り運動可能に支持されるとともに、受体１６に軸支されることにより上下の首振り運動も可能である。
【００３２】
前記連結軸体１０は、本形態では図２に示すように、前後にのびる丸棒状をなし、前後両端部に上方へ小高さで突出するとともに上面がフラットな前受部４８Ｆ、後受部４８Ｂを有し、この前受部４８Ｆ、後受部４８Ｂに使用者が着座する座部５を取り付けている。そしてこの連結軸体１０は、図３に示すように、その略中央部がブッシュ４９を介してすべり子体１１のスライド支持孔５６に挿入され、すべり子体１１によって軸方向に移動可能に案内される。
【００３３】
他方連結軸体１０の前端部は、図４に示すように、前記クランクアーム８の先端部に前支持具５０を介して枢着される。この前支持具５０は、略上下にのびる前支持軸５１と、上を向く横コ字状をなし、前支持軸５１の上端部に固着される前受体５２とからなる。この前支持具５０は、前支持軸５１をブッシュ５３を介してクランクアーム８先端の前記第２のスリーブ４２に挿通することにより、クランクアーム８に対して回動可能に取り付けられ、かつ前支持具５０の前受体５２に、連結軸体１０の前端部を軸支している。本形態においては、角度αで後傾する駆動軸７と平行に並び、前支持軸５１も同角度で後傾して配置されことから、連結軸体１０の前端部は駆動部１２に駆動された駆動軸７の回動により、この駆動軸７を中心とし、クランクアーム８と衝合することなく回転できる。
【００３４】
しかして、前記支持縦軸１５に支持されることにより横方向に首振り運動が可能に構成されたすべり子体１１に挿通されて、その軸方向に移動可能に案内される連結軸体１０が、その前端部を、駆動部に駆動されて回転するクランクアーム８の先端部に枢着されることから、クランクアーム８と連結軸体１０とで揺動スライダ−クランク機構が構成される。従って連結軸体１０は、図９（Ａ）に示すように、前後方向に真直ぐでかつ前寄りの位置から、クランクアームの回動に誘導されることにより、すべり子体１１のスライド支持孔５６内を後にスライドしながら、図９（Ｂ）に示すように、スライド支持孔５６への挿通部を中心とし、図面上で左廻りに揺動する。更にクランクアーム８が回転すると、連結軸体１０は後方へスライドを続けながら、図面上で右廻りに反転し、図９（Ｃ）に示すように、最も後方位置まで移動するとともに前後方向に真直ぐな姿勢に戻る。
【００３５】
クランクアーム８が更に回転すると、連結軸体１０は前方へのスライドに切り替わり、かつ図面上で右廻りの揺動を継続して、図９（Ｄ）に示すように、最も右廻りに振れた姿勢に至る。次いで前方へのスライドを続けながら図面上で左廻りの揺動に反転して図９（Ａ）の状態に戻る。このように連結軸体１０はクランクアーム８の回転に伴って、前後方向へ移動しながら左右への大きな揺動を繰り返す。そのため連結軸体１０に固着されて一体に動く座部５は、その前側が大きく左右に振れる揺動を伴って前後へ向け交互に移動する動作を繰り返すため、座部５に着座する使用者は、騎乗において激しく動く鞍上で自分の姿勢をバランスさせる乗馬感覚と同様のフィーリングを体感しながら、腹筋、背筋などの全身の筋肉を使って、体重を適宜移動させてバランスをとって着座姿勢を維持させる運動を行なうことができる。その結果心地良い乗馬感覚を楽しみながら、腹筋、背筋その他全身の筋肉が鍛錬され、平衡感覚、敏捷性を有効にトレーニングできる。
【００３６】
前記駆動軸７は、前記のごとく角度αで後傾して支持されているため、この駆動軸７を芯として回動するクランクアーム８は、その先端部が傾斜面上を周回して昇降を繰り返す。従って前後にスライドする連結軸体の前側は、左右に揺動しながら、更に上下方向にも揺動するため、前後、左右、及び上下の三方向に激しく揺れる使用者は、巧妙でダイナミックなバランス操作が要求され、トレーニング効果が一段と高まる上、前記三方向への揺動が交錯した激しい動きによって乗馬感覚に一層近くなり、臨場感を増す。
【００３７】
駆動軸７の後傾の角度αは、例えば５〜２５°程度、好ましくは７〜１５°、本形態では１０°としている。前記駆動軸７の角度αが５°未満では座部５の昇降が小さくなるため、前記臨場感が不足し、逆に２５°を超えると、座部５が上下に激しく動くために使用者が落下する危険性がある。
【００３８】
また本形態では、前記の如く連結軸体１０の前端部は、クランクアーム８の先端部から立ち上がる前支持軸５１の上部に取り付けている。従って図５に示すように、連結軸体１０がすべり子体１１によってすべり支持される位置Ｐは、前記駆動軸７にクランクアーム８が枢着される枢着点Ｓ１を通り、かつ駆動軸７の回転芯と直交する回転平面Ｍから離れて位置する。このことから、クランクアーム８の回転に伴ない、連結軸体１０の水平面に対する傾斜角度βが増減を繰り返す。
【００３９】
即ち図５、６に示すように、クランクアーム８が前方を向く位相では、連結軸体１０は傾斜角度β１で前部を高くして傾いている。次いでクランクアーム８が平面視左廻りに回転すると、連結軸体１０は前部を降下させて傾動し、図５、７に示すようにクランクアーム８が９０°迄回転する時には、傾斜角度β２で前を少し低くして傾く。更にクランクアーム８が１８０°迄回動すると、図５、８に示すように、傾動角度β３で前を最も引くくして傾く。クランクアーム８がさらに回動すると、連結軸体１０は傾動方向を反転させ、クランクアーム８が２７０°迄回転する時、図５、７に示すように、傾斜角度β４に傾きを戻し、更にクランクアーム８が１回転すると図６の状態に戻る。このようにクランクアーム８の回動に伴って、連結軸体１０の水平面に対する傾斜角度βが周期的に変化するため、前後移動、及び左右への揺動に加えて座部５が前傾、後傾の変化を繰り返し、その結果乗馬感覚に略等しい座部５の動きが生まれ、臨場感に溢れたトレーニングを楽しむことができる。
【００４０】
また本形態では、傾斜角度βが変化する連結軸体１０を支持するすべり子体１１は、前記のごとくすべり子体支持部１７によって、横に首振り運動可能、かつ上下の首振り運動も可能に支持されている。従って、クランクアーム８の回動により生じる連結軸体１０の前後方向へ移動を伴った上下傾動の繰り返し動作が滑らか支持されるため、座部５に振動、軋みを生じることなくスムースに動作しうる点で好ましい。
【００４１】
しかも本形態のすべり子体１１は、前記の如く縦のスリーブ１４と、この縦のスリーブ１４に内挿された支持縦軸１５と、この支持縦軸１５の上端部に設けられてすべり子体１１を軸支する受体１６とからなるすべり子体支持部１７によって支持されていることから、すべり子体１１は、支持縦軸１５を芯とした回動と、受体１６に軸支されることにより上下の首振り運動が自在に構成される。従って、このすべり子体１１に支持される連結軸体１０は、横首振り運動、および水平面に対する傾動運動が共に滑らかに動作でき、その結果この連結軸体１０に支持される座部５がスムースに揺動しうる点で好ましい。
【００４２】
なお前記座部５は、図示されない略楕円状基板の上に配されるウレタンフォーム、ポリエチレンフォームなどのスポンジ製芯材を、ポリエチレン樹脂、ポリプロピレン樹脂、ポリスチレン樹脂などのプラスチック材料を用いたカバーで覆って形成され、前記基板の下部には前後にのびる取り付け用の基桟５４が取り付けられる。そしてこの基桟５４を取付け具１３を用いて連結軸体１０に固着することにより、座部５が揺動手段６に取り付けられる。
【００４３】
前記取付け具１３は、本形態では図２に示すように、ボルト固定手段２４、緩衝具２６を含み構成される。さらにこの緩衝具２６は、基桟５４と連結軸体１０との間に介装されるゴム製リング状の弾性手段２５によって形成される。このように緩衝具２６を用いて座部５を取り付けると、駆動器、クランク部材、連結軸体などの可動部が生じる振動が吸収緩和されて、座部に伝わらないことから使用感を高め、同時に機械音が減じるため快適に運動できる点で好ましい。
【００４４】
尚、叙上の説明は本考案の実施の形態を例示したものである。従って本考案の技術的範囲はこれに何ら限定されるものではなく、前記した実施の形態の他にも、各種の変形例が含まれる。
【図面の簡単な説明】
【００４５】
【図１】本考案の一実施の形態を例示する斜視図である。
【図２】その要部斜視図である。
【図３】その要部拡大斜視図である。
【図４】その要部縦断面図である。
【図５】その動作を説明する線図である。
【図６】その一動作状態を説明する要部正面図である。
【図７】他の動作状態を説明する要部正面図である。
【図８】更に他の動作状態を説明する要部正面図である。
【図９】（Ａ）乃至（Ｄ）は、クランクアームの異なる位相における動作状態を示した要部平面図である。
【符号の説明】
【００４６】
１      運動健康器具
２      台座
３      フレーム
４      基枠
５      座部
６      揺動手段
７      駆動軸
８      クランクアーム
９      クランク部材
１０      連結軸体
１１      すべり子体
１２      駆動部
１３      取付け具
１４      縦のスリーブ
１５      支持縦軸
１６      受体
１７      すべり子体支持部
１８      駆動器
１９      減速器
２０      駆動伝達部
２１      駆動プーリー
２２      従動プーリー
２３      タイミングベルト
２４      ボルト固定手段
２５      弾性手段
２６      緩衝具
３３      把手
【図１】
0003119176.tif 000003
【図２】
0003119176.tif 000004
【図３】
0003119176.tif 000005
【図４】
0003119176.tif 000006
【図５】
0003119176.tif 000007
【図６】
0003119176.tif 000008
【図７】
0003119176.tif 000009
【図８】
0003119176.tif 000010
【図９】
0003119176.tif 000011